(57)【要約】【課題】止水の工事を容易に行うことができ、しかも、外壁の縦目地部分を通じた屋内側への雨水の浸入を阻止することができる、下屋の屋根と外壁との間の止水構造を提供する。【解決手段】下屋の屋根１と外壁２との境界部において、外壁面材よりも背後を立ち上がる部分３ａと下屋の屋根に沿う部分３ｂとを有する止水板３が設置され、かつ、外壁２の縦目地１２の部分のみが局部的に屋外側から風除け板４で遮られている。【選択図】      図１
2005180057.tif 000002
【特許請求の範囲】
【請求項１】
下屋の屋根と外壁との境界部が、外壁面材よりも背後を立ち上がる部分と下屋の屋根に沿う部分とを有する止水板で止水された、下屋の屋根と外壁との間の止水構造であって、
前記境界部において、外壁の縦目地部分のみが局部的に屋外側から風除け板で遮られていることを特徴とすることを特徴とする下屋の屋根と外壁との間の止水構造。
【発明の詳細な説明】
【技術分野】
【０００１】
本発明は、下屋の屋根と外壁との間の止水構造に関する。
【背景技術】
【０００２】
建物に付属する下屋の屋根と、建物の外壁との境界部を止水する止水構造として、金属などからなる止水板を用い、これを、その一方の部分を外壁面材よりも背後で上方に立ち上がらせ、もう一方の部分を下屋の屋根に沿わせるように設置したものがある。
【発明の開示】
【発明が解決しようとする課題】
【０００３】
しかしながら、上記の止水構造では、外壁に縦目地が備えられている場合に、その縦目地部分を通じて雨水が吹き上げられ、それが止水板の立ち上がり部分を越えて屋内側に浸入してしまう、あるいは、そのおそれがある。
【０００４】
この問題の解決法として、止水板の立ち上がり部分の高さ寸法をより大きくすることも考えられるが、それでは、止水板の立ち上がり部分を屋外側から外壁面材の背後で立ち上がらせるように設置するのが困難ないしは不可能になってしまう場合がある。
【０００５】
本発明は、上記のような問題点に鑑み、止水の工事を容易に行うことができ、しかも、外壁の縦目地部分を通じた屋内側への雨水の浸入を阻止することができる、下屋の屋根と外壁との間の止水構造を提供することを課題とする。
【課題を解決するための手段】
【０００６】
上記の課題は、下屋の屋根と外壁との境界部が、外壁面材よりも背後を立ち上がる部分と下屋の屋根に沿う部分とを有する止水板で止水された、下屋の屋根と外壁との間の止水構造であって、
前記境界部において、外壁の縦目地部分のみが局部的に屋外側から風除け板で遮られていることを特徴とすることを特徴とする下屋の屋根と外壁との間の止水構造によって解決される。
【０００７】
この構造では、下屋の屋根と外壁との境界部において、外壁の縦目地部分が屋外側から風除け板で遮られているので、この風除け板によって、外壁の縦目地を通じた雨水の吹上げが阻止され、外壁の縦目地部分において止水板の立ち上がり部分を越えて屋内側に雨水が浸入してしまうのを阻止することができる。
【０００８】
しかも、風除け板を設置したことによって、止水板の立ち上がり部の高さ寸法を大きくする必要がなくなり、そのため、止水板の立ち上がり部分を屋外側から外壁面材の背後に容易に立ち上がらせることができ、また、風除け板は、外壁の縦目地部分を屋外側から遮るように備えられているので、風除け板の設置も容易に行うことができ、従って、境界部における止水の工事を容易に行うことができる。
【０００９】
加えて、風除け板は、外壁の縦目地部分のみを局部的にカバーするようになされているので、風除けに必要な材料コストを低く抑えることができる。
【発明の効果】
【００１０】
本発明は、以上のとおりのものであるから、下屋の屋根と外壁との境界部の止水間の工事を容易に行うことができ、しかも、外壁の縦目地部分を通じた屋内側への雨水の浸入を阻止することができる。
【発明を実施するための最良の形態】
【００１１】
次に、本発明の実施最良形態を図面に基づいて説明する。
【００１２】
図１〜図３に示す実施形態の止水構造において、１は建物に付属する下屋の屋根、２は建物の外壁、３は止水板、４は風除け板である。また、下屋の屋根１において、５は垂木、６は野地板、７は防水用のルーフィングである。
【００１３】
外壁２は、窯業系などの外壁面材８の背後に、背面材としての外断熱用の発泡樹脂断熱材９が備えられると共に、その背後に軸組構造材１０等の他の構造部分が備えられたものからなっていて、縦目地１２が備えられると共に、発泡樹脂断熱材９の下端は外壁面材８の下端よりも下方に突出している。なお、１１は、縦目地１２を外壁面材８，８間で止水する目地止水材である。そして、発泡樹脂断熱材９の下端部の背面側には切欠き１３が形成され、この切欠き１３によって、発泡樹脂断熱材９と軸組構造材１０との間に、止水板を差し込む下向き開放の差込み部１４が形成されている。
【００１４】
止水板３は、金属板、あるいは、金属と樹脂の複合板、あるいは、樹脂板などからなっており、外壁面材よりも背後を立ち上がる部分３ａと、下屋の屋根に沿う部分３ｂとを有し、屋外側から、立ち上がり部分３ａを外壁２側の差込み部１４に下から差し込んだ後、下屋の屋根に沿う部分３ｂを下屋の屋根１のルーフィング７よりも上面側に沿わせるというようにして設置されている。
【００１５】
そして、風除け板４は、金属板、あるいは、金属と樹脂の複合板、あるいは、樹脂板などからなっていて、図１に示すように、下屋の屋根１と外壁２の境界部において、外壁２の縦目地１２…の部分においてのみ局部的に備えられ、図２に示すように、外壁面材８から下方に突出する発泡樹脂断熱材９の屋外側の面部に取り付けられ、外壁面材８の下面位置から発泡樹脂断熱材９の下面位置よりも下方に突出するように垂下がり状態に備えられ、外壁の縦目地１２部分を屋外側から遮っている。
【００１６】
上記の止水構造では、外壁２の縦目地１２以外の部分では、雨水は、止水板３の立ち上がり部分３ａによって屋内側への浸入を阻止される。そして、外壁２の縦目地１２の部分においては、風除け板４が、外壁２の縦目地１２を通じた雨水の吹上げを阻止し、阻止された雨水は、止水板３に落ち、止水板３の立ち上がり部分３ａによって屋内への浸入を阻止される。
【００１７】
しかも、このように、風除け板４を用いて外壁縦目地１２を通じた雨水の吹上げを阻止する構成としたことにより、止水板３の立ち上がり部分３ａの高さ寸法は、縦目地１２以外の部分において雨水の浸入を阻止しうる程度の高さ寸法に抑えることができ、差込み部１４への止水板立ち上がり部分３ａの差込みを容易に行うことができ、止水板３の設置を容易にすることができる。また、風除け板４も外壁２の縦目地１２を屋外側から遮るように取り付ければよいので、風除け板４の設置も容易に行うことができて、このことも併せて、下屋の屋根１と外壁２の境界部に対する止水の工事を容易に行うことができる。加えて、外壁２の縦目地１２の部分のみを局部的に風除け板４でカバーするようにしているので、風除けに必要な材料コストも低く抑えることができる。
【００１８】
以上に、本発明の実施形態を示したが、本発明はこれに限られるものではなく、発明思想を逸脱しない範囲で各種の変更が可能である。例えば、上記の実施形態では、発泡樹脂断熱材９を外壁面材８よりも下方に突出させ、風除け板４を発泡樹脂断熱材９の下方突出部の屋外側の面部に取り付けた場合を示しているが、発泡樹脂断熱材９と外壁面材８の下端位置が同じ高さ位置である場合などにおいては、風除け板４を外壁面材８の下端部の屋外側の面部に取り付けるようにしてもよいし、要は、縦目地１２を通じた雨水の吹上げを阻止しうるような態様で備えられていればよい。また、上記の実施形態では、外壁２が、外壁面材８の背面部に発泡樹脂断熱材９を備えたものからなっている場合を示しているが、外壁面材の背面部に発泡樹脂断熱材以外の例えば下地材などの各種背面材が備えられたものからなっていてもよい。
【図面の簡単な説明】
【００１９】
【図１】実施形態の止水構造を示す断面正面図である。
【図２】図１のＩ−Ｉ線矢視図である。
【図３】図（イ）は下屋の屋根と外壁との取り合い関係を示す簡略斜視図、図（ロ）は図１のＩＩ−ＩＩ線矢視図である。
【符号の説明】
【００２０】
１…屋根
２…外壁
３…止水板
３ａ…立ち上がり部分
３ｂ…下屋の屋根に沿う部分
４…風除け板
８…外壁面材
１２…縦目地
【図１】
2005180057.tif 000003
【図２】
2005180057.tif 000004
【図３】
2005180057.tif 000005